(57)【特許請求の範囲】
【請求項１】
室内側通気用開口部と室外側通気用開口部と開閉体取付用空間部を有する框本体と、
この框本体の開閉体取付用空間部に取付けた開閉体と、
前記框本体内における開閉体よりも上部寄りに、上方位置と下方位置に亘って上下スライド自在に取付けられ、框本体の外部から上下スライド可能な操作部材を備え、
前記開閉体は、その上下中間部の軸支承部を中心として連通位置と遮断位置に亘って室内側方向に回転自在に取付けてあり、その開閉体が連通位置の時には前記室内側通気用開口部と室外側通気用開口部が連通し、その開閉体が遮断位置の時には前記室内側通気用開口部と室外側通気用開口部を遮断し、
前記操作部材は、室内外側方向に離隔した室内側寄りの下カム部と室外側寄りの上カム部を有し、該操作部材は、この下カム部と上カム部との間に前記開閉体の上部が突出して取付けてあり、
前記下カム部は、前記開閉体の上部室内側部と対向したカム面と押え面を備え、
前記上カム部は、前記開閉体の上端部と対向したカム面を備え、
前記操作部材を下方位置から上方位置にスライドすることで下カム部のカム面で開閉体が連通位置に回転し、かつ押え面で連通位置に保持し、
前記操作部材を上方位置から下方位置にスライドすることで上カム部のカム面で開閉体が遮断位置に回転し、かつ遮断位置に保持するようにしたことを特徴とする換気框。
【発明の詳細な説明】
【０００１】
【発明の属する技術分野】
本発明は、浴室引戸、浴室折れ戸、開きドア、引き違い窓等の障子に用いる換気框に関する。
【０００２】
【従来の技術】
室内側と室外側に通気用開口部を有する框本体と、この框本体内に取付けた開閉部材と、框本体に取付けられて開閉部材を開閉作動する操作部材を備えた換気框が知られている。
例えば、特開平９−１９５６４０号公報に示すように、開閉体を回動軸で開位置と閉位置に亘って回動自在とし、上下スライド自在な操作摘みの孔部と前記回動軸に突設した突部に跨ってバネを設け、操作摘みを上下にスライドすることで開閉体を開位置と閉位置に回動する換気框が知られている。
【０００３】
【発明が解決しようとする課題】
前述の換気框は開閉体の上下中間部に回動軸が位置し、この回動軸と操作摘みは框本体の見込み方向（室内外側方向）に離隔し、回動軸の突部が操作摘みの孔部に嵌まり合うようにしてあるので、回動軸と操作摘みを取付けるために框本体の見込み寸法（室内外側方向間の寸法）が大きい。
【０００４】
そこで、本発明は前述の課題を解決できるようにした換気框を提供することを目的とする。
【０００５】
【課題を解決するための手段】
本発明は、室内側通気用開口部と室外側通気用開口部と開閉体取付用空間部を有する框本体と、
この框本体の開閉体取付用空間部に取付けた開閉体と、
前記框本体内における開閉体よりも上部寄りに、上方位置と下方位置に亘って上下スライド自在に取付けられ、框本体の外部から上下スライド可能な操作部材を備え、
前記開閉体は、その上下中間部の軸支承部を中心として連通位置と遮断位置に亘って室内側方向に回転自在に取付けてあり、その開閉体が連通位置の時には前記室内側通気用開口部と室外側通気用開口部が連通し、その開閉体が遮断位置の時には前記室内側通気用開口部と室外側通気用開口部を遮断し、
前記操作部材は、室内外側方向に離隔した室内側寄りの下カム部と室外側寄りの上カム部を有し、該操作部材は、この下カム部と上カム部との間に前記開閉体の上部が突出して取付けてあり、
前記下カム部は、前記開閉体の上部室内側部と対向したカム面と押え面を備え、
前記上カム部は、前記開閉体の上端部と対向したカム面を備え、
前記操作部材を下方位置から上方位置にスライドすることで下カム部のカム面で開閉体が連通位置に回転し、かつ押え面で連通位置に保持し、
前記操作部材を上方位置から下方位置にスライドすることで上カム部のカム面で開閉体が遮断位置に回転し、かつ遮断位置に保持するようにしたことを特徴とする換気框である。
【０００７】
【作用】
本発明によれば、操作部材が下方位置から上方位置にスライドすることで下カム部のカム面が開閉体の上部室内側部に接して開閉体を連通位置に回転し、かつ押え面で連通位置に保持する。前記操作部材が上方位置から下方位置にスライドすることで上カム部のカム面が開閉体の上端部と接して開閉体を遮断位置に回転し、かつ遮断位置に保持する。
したがって、操作部材を上下にスライドすることで開閉体を連通位置と遮断位置にスムーズに回転できると共に、連通位置・遮断位置に保持できる。
また、開閉体の上部が操作部材の下カム部と上カム部との間に突出しているので、框本体の見込み寸法が小さい。
【０００９】
【発明の実施の形態】
図１に示すように、上枠１と下枠２と左右の縦枠３を方形状に連結した枠体４に３枚の障子５が装着されて浴室３枚引戸を形成している。
前記各障子５は上框６、左右の縦框７、下框８を方形状に連結し、その内部にパネル９を取付けたもので、その下框８を換気框としてある。
【００１０】
前記下框８は図２、図３に示すように、左右の縦框７間に間隔を置いて連結した上部框本体１０と下部框本体１１で室内側通気用開口部１２、室外側通気用開口部１３、開閉体取付用空間部１４を有する框本体１５を備えている。図２において左側が浴室側で、右側が脱衣室側で、室内側通気用開口部１２は浴室側に開口し、室外側通気用開口部１３は脱衣室側に開口している。
【００１１】
前記上部框本体１０は上下寸法の大きな室内側縦板１６と上下寸法の小さな室外側縦板１７を上端面を同一高さとして連結板１８で一体的に連結した断面形状の長尺材で、パネル装着用の上向凹部１９を有している。
【００１２】
前記下部框本体１１は上下寸法の小さな室内側縦板２０と上下寸法の大きな室外側縦板２１を下端面を同一高さとして上連結板２２、下連結板２３で一体的に連結した断面形状の長尺材で、中空部２４と戸車取付用の下向凹部２５を有する。
前記室内側縦板２０の上端部は上連結板２２と連続し、室外側縦板２１の上連結板２２よりも上方に突出した部分の室内側面に複数の水返し片２６が室内側縦板２０に向けて斜め下向きに一体的に設けてある。
【００１３】
前記上部框本体１０と下部框本体１１のビスホール１８ａ，２３ａに左右の縦框７からビスをそれぞれ螺合して上部框本体１０と下部框本体１１が上下方向に離隔して取付けられ、その室内側縦板１６，２０相互間に室内側通気用開口部１２を形成し、室外側縦板１７，２１相互間に室外側通気用開口部１３を形成している。
前記室内側通気用開口部１２は室外側通気用開口部１３よりも下方寄りである。
【００１４】
前記框本体１５の開閉体取付用空間部１４に開閉体３０が取付けてある。
この開閉体３０は斜めの中間板３１（上下中間部）と上向板３２（上部）と下向板３３（下部）で断面ほぼクランク形状の長尺材で、その中間板３１にビスホール３４（軸支承部）が長手方向に連続して有し、上向板３２の上端部に室内側に開口した凹部３５と室内側に向いた突片３６を有し、下向板３３の下端部に室外側に開口した凹部３７を有している。前記各凹部３５，３７に上部気密材３８、下部気密材３９が装着してある。
【００１５】
前記開閉体３０の長手方向両端部に開閉体連結部材４０がそれぞれ配設してある。
この開閉体連結部材４０は室内側方向に向う縦板４１と、その室内側下部寄りに一体的に設けた室内側下内向片４２と、縦板４１の室外側上部寄りに一体的に設けた室外側上内向片４３を備え、縦板４１の上下中間で室内外側方向中間に回転軸４４が取付けてある。
【００１６】
前記回転軸４４が開閉体３０のビスホール３４に挿入され、室内側下内向片４２が開閉体３０の下向板３３と対向し、室外側上内向片４３が開閉体３０の上向板３２と対向している。
前記開閉体連結部材４０は縦框７の内向凹部内に取付けられて室内側下内向片４２が框本体１５の室内側通気用開口部１２に接し、室外側上内向片４３が框本体１５の室外側通気用開口部１３に接する。
【００１７】
このようであるから、開閉体連結部材４０は開閉体３０を回転自在に支承すると共に、上部框本体１０と下部框本体１１の上下間隔を規制する。
【００１８】
図２と図４に示すように、前記上部框本体１０の長手方向中間部にガイド部材５０が取付けてあり、このガイド部材５０に沿って操作部材６０が上下スライド自在に設けてある。
前記ガイド部材５０は取付用基板５１に溝状の下ガイド部５２を形成し、その取付用基板５１の下ガイド部５２の両側部分に一対の突片５３と一対の孔５４を形成してある。
前記取付用基板５１の上端面における下ガイド部５２の両側部分に一対のガイド片５５が間隔を置いて一体的に設けてあり、この一対のガイド片５５の幅広下部５５ａ間で中間ガイド部５６、幅狭上部５５ｂ間で上ガイド部５７を形成している。
【００１９】
前記操作部材６０は下ガイド部５２に沿ってスライド自在な下スライド部６１、中間ガイド部５６に沿ってスライド自在な中間スライド部６２、上ガイド部５７に沿ってスライド自在な上スライド部６３から成るスライド部と、下スライド部６１の室内側面に一体的に設けられ前記一対の突片５３間に沿ってスライド自在なつまみ部６４と、下スライド部６１の室外側面に一体的に設けた下カム部６５と、上スライド部６３の室外側面に一体的に設けられ下カム部６５よりも上方で室外側寄りの上カム部６６を備えている。
【００２０】
前記下カム部６５は図２に示すように開閉体３０の上向板３２の突片３６（つまり、開閉体３０の上部室内側部）と対向するカム面６５ａと押え面６５ｂを備え、そのカム面６５ａは水平に対して室内側が高く室外側が低い斜面である。押え面６５はほぼ垂直である。
前記上カム部６６は図２に示すようにカム面６６ａと突部６６ｂを備え、そのカム面６６ａは開閉体３０の上向板３２の上端面（つまり、開閉体３０の上端部）と対向し、水平に対して室内側が高く室外側が低い斜面である。
前記突部６６ｂは室外側通気用開口部１３から上部框本体１０の室外側縦板１７（室外側面）よりも突出している。
前記上カム部６６はカム面６６ａと連続した垂直な室外側の下向部６６ｃを有している。
前記下カム部６５はカム面６６ａと上カム部６６のカム面６６ａは相対向し、下カム部６５と上カム部６６とスライド部の室外側面で室外側に開口した斜め下向きの凹部６７を形成している。
この凹部６７に開閉体３０の上向板３２の上部（開閉体３０の上部）が突出し、下向部６６ｃが開閉体３０の上向板３２の室外側面上部と対向（接触）している。
【００２１】
図４に示すように、上部框本体１０の室内側縦板１６の長手方向中間部に開口部７０が形成してあり、この開口部７０の長手方向両側部に一対の孔７１が形成してある。
前記ガイド部材５０の一対の突片５３が図３に示すように開口部７０に嵌め込みされ、一対の孔７１から固着具７２、例えばプッシュリベットを一対の孔５４に嵌合してガイド部材５０が室内側縦板１６の室外側面に取付けられる。
操作部材６０のつまみ６４は開口部７０から突出し、このつまみ６４の上下寸法は開口部７０の上下寸法よりも小さく、室内側からつまみ６４を上下スライドできるようにしてある。
【００２２】
前記下枠２は図２に示すように、室内側取付部材８０と室外側取付部材８１間にレール部材８２を取付けた形状で、このレール部材８２に３つの下レール８３が設けてあり、この下枠２は室内側（浴室側）と室外側（脱衣室側）で段差のないバリアフリーの下枠である。
【００２３】
図２に示すように、つまみ６４を上方にスライドして操作部材６０を図２に示す上方位置にスライドすると、下カム部６５の押え面６５ｂが開閉体３０の突片３６に当接して開閉体３６を時計方向に回転して上向板３２、下向板３３を開閉体連結部材４０の室外側上内向片４３、室内側下内向片４２にそれぞれ押しつけ保持し、上部気密材３８が室内側縦板１６と離れると共に、下部気密材３９が室外側縦板２１から離れ、室内側通気用開口部１２と室外側通気用開口部１３が連通する。
つまり、つまみ６４を上方にスライドすることで操作部材６０が上方にスライドして開閉体３０を連通位置に回動し、かつその連通位置に保持する。
【００２４】
図２に示す状態からつまみ６４を下方にスライドすると操作部材６０が下方にスライドする。操作部材６０が下方にスライドすると下カム部６５の押え面６５ｂが突片３６と離れると共に、上カム部６６のカム面６６ａが開閉体３０の上向板３２の上端面に接して開閉体３０を回転軸４４を中心として反時計方向に回転する。
【００２５】
これにより、図５に示すように上部気密材３８が室内側縦板１６の室外側面に圧接し、下部気密材３９が室外側縦板２１の室内側面に圧接して室内側通気用開口部１２と室外側通気用開口部１３を遮断する。
つまり、つまみ６４を下方にスライドすることで操作部材６０が下方にスライドして開閉体３０を遮断位置に回動し、かつその遮断位置に保持する。
【００２６】
また、操作部材６０の上カム部６６の突部６６ｂは室外側通気用開口部１３から室外に突出しているので、室外側から操作部材６０を上下にスライドできる。
したがって、開閉体３０を室外側から連通位置、遮断位置に回転できる。
【００２７】
また、操作部材６０は開閉体３０よりも上方に設けてあり、その操作部材６０と開閉体３０が框本体１５の見込み方向にほぼ同一位置であるから、框本体１５の見込み寸法（室内外側方向の寸法）が小さい。
【００２８】
以上の実施の形態は浴室３枚引戸の障子の下框を換気框としたが、上框、中間框を換気框にできるし、他の引戸などの障子にも適用できることは勿論である。
また、上部框本体１０と下部框本体１１を一体として室内側通気用開口部１２と室外側通気用開口部１３と開閉体取付用開口部１４を有する框本体１５としても良い。
【００２９】
【発明の効果】
請求項１に係る発明によれば、操作部材が下方位置から上方位置にスライドすることで下カム部のカム面が開閉体の上部室内側部に接して開閉体を連通位置に回転し、かつ押え面で連通位置に保持する。前記操作部材が上方位置から下方位置にスライドすることで上カム部のカム面が開閉体の上端部と接して開閉体を遮断位置に回転し、かつ遮断位置に保持する。
したがって、操作部材を上下にスライドすることで開閉体を連通位置と遮断位置にスムーズに回転できると共に、連通位置・遮断位置に保持できる。
また、開閉体の上部が操作部材の下カム部と上カム部との間に突出しているので、框本体の見込み寸法が小さい。
【図面の簡単な説明】
【図１】浴室３枚引戸の正面図である。
【図２】下框と下枠の縦断面図である。
【図３】下框の分解斜視図である。
【図４】ガイド部材と操作部材の分解斜視図である。
【図５】開閉体を遮断位置とした縦断面図である。
【符号の説明】
８…下框（換気框）
１０…上部框本体
１１…下部框本体
１２…室内側通気用開口部
１３…室外側通気用開口部
１４…開閉体取付用空間部
３０…開閉体
６０…操作部材
６５…下カム部
６５ａ…カム面
６６…上カム部
６６ａ…カム面
【図１】
0003663592.tif 000002
【図２】
0003663592.tif 000003
【図３】
0003663592.tif 000004
【図４】
0003663592.tif 000005
【図５】
0003663592.tif 000006